(57)【要約】【課題】操作性に自由度を有する通信によって適切にファイル名を決定できる撮像システム、撮像装置、撮像装置プログラム及び番号管理装置プログラムを提供する。【解決手段】撮像システム１００は、カメラ１が、撮像を指示する全押しスイッチＳＷ２の指示により人体通信部４３を介した通信を行い、携帯情報端末５のファイル番号管理リスト６２に記憶された最新に使用されたファイル番号を取得する番号取得部３１と、取得したファイル番号に基づいて全押しスイッチＳＷ２の指示により出力される画像データに関連付けるファイル名を、そのファイル名を構成するファイル番号が連続した番号になるように決定するファイル名決定部３２と、決定されたファイル名に含まれるファイル番号を携帯情報端末５に送信する番号送信部３３とを有し、携帯情報端末５が、人体通信部７１が受信したファイル番号をファイル番号管理リスト６２に記憶させる記憶処理部５４を有する。【選択図】図３
2014236464.tif 000002
【特許請求の範囲】
【請求項１】
撮像装置と、
番号管理装置と、
を備える撮像システムであって、
前記撮像装置と前記番号管理装置とは、所持者の人体を介して人体通信が可能な通信部を各々備え、
前記番号管理装置は、ファイル番号を記憶するファイル番号記憶部を有し、
前記撮像装置は、
被写体を撮像して画像データを出力する撮像部に対して撮像を指示する撮像指示部と、
前記撮像指示部からの指示により、前記通信部を介して前記番号管理装置の前記ファイル番号記憶部に記憶された最新に使用された、又は次に使用すべき前記ファイル番号を取得する番号取得部と、
前記番号取得部が取得した前記ファイル番号に基づいて、前記撮像指示部の指示により出力される画像データに関連付けるファイル名を、そのファイル名を構成するファイル番号が連続した番号になるように決定するファイル名決定部と、
前記ファイル名決定部により決定された前記ファイル名に含まれるファイル番号又は次に使用すべきファイル番号を、前記番号管理装置に送信する番号送信部と、
を有し、
前記番号管理装置は、前記通信部が受信した前記ファイル番号を、前記ファイル番号記憶部に記憶させる記憶処理部を有すること、
を特徴とする撮像システム。
【請求項２】
請求項１に記載の撮像システムにおいて、
複数の前記撮像装置を備え、
前記番号管理装置は、複数の前記撮像装置の各々からファイル番号の取得要求を受信した場合には、その取得要求の受信順に、一の前記撮像装置に対するファイル番号の送信から受信したファイル番号の前記ファイル番号記憶部への記憶までの処理を一連に行うこと、
を特徴とする撮像システム。
【請求項３】
請求項１又は請求項２に記載の撮像システムにおいて、
前記撮像装置は、前記撮像指示部の指示により前記撮像部が出力した画像データを、前記ファイル名決定部により決定されたファイル名の画像ファイルとして記憶する画像ファイル記憶部を有すること、
を特徴とする撮像システム。
【請求項４】
請求項１又は請求項２に記載の撮像システムにおいて、
前記撮像装置は、前記撮像指示部による指示に応じて前記撮像部が撮像する回数である撮像回数を記憶する回数記憶部を有し、
前記撮像装置の前記ファイル名決定部は、前記番号取得部が取得した前記ファイル番号に基づいて、前記撮像指示部の指示により出力される撮像回数分の画像データに関連付けるファイル名の各々が連続した番号を含むように、ファイル名を決定し、
前記撮像装置の前記番号送信部は、前記ファイル名決定部により決定された前記ファイル名を構成するファイル番号のうち最大のファイル番号又は次に使用すべきファイル番号を、前記番号管理装置に送信すること、
を特徴とする撮像システム。
【請求項５】
請求項４に記載の撮像システムにおいて、
前記撮像装置は、前記撮像指示部の指示により前記撮像部が出力した画像データを、前記ファイル名決定部により決定されたファイル番号を出力順に大きくなるように付与したファイル名の画像ファイルとして記憶する画像ファイル記憶部を有すること、
を特徴とする撮像システム。
【請求項６】
所持者の人体を介して人体通信が可能な通信部と、
被写体を撮像して画像データを出力する撮像部と、
前記撮像部に対して撮像を指示する撮像指示部と、
前記撮像指示部からの指示により、前記通信部を介して接続された番号管理装置から最新に使用された、又は次に使用すべきファイル番号を取得する番号取得部と、
前記番号取得部が取得した前記ファイル番号に基づいて、前記撮像指示部の指示により出力される画像データに関連付けるファイル名を、そのファイル名を構成するファイル番号が連続した番号になるように決定するファイル名決定部と、
前記ファイル名決定部により決定された前記ファイル名に含まれるファイル番号又は次に使用すべきファイル番号を、前記番号管理装置に送信する番号送信部と、
を備える撮像装置。
【請求項７】
番号管理装置に対して所持者の人体を介して人体通信が可能なコンピュータである撮像装置の撮像装置プログラムであって、
前記撮像装置は、被写体を撮像して画像データを出力する撮像部に対して撮像を指示する撮像指示部を備え、
前記撮像装置に、
前記撮像指示部からの指示により、前記人体通信によって前記番号管理装置から最新に使用された、又は次に使用すべきファイル番号を取得する番号取得ステップと、
前記番号取得ステップにより取得された前記ファイル番号に基づいて、前記撮像指示部の指示により出力される画像データに関連付けるファイル名を、そのファイル名を構成するファイル番号が連続した番号になるように決定するファイル名決定ステップと、
前記ファイル名決定ステップにより決定された前記ファイル名に含まれるファイル番号又は次に使用すべきファイル番号を、前記人体通信によって前記番号管理装置に送信するファイル番号送信ステップと、
を実行させること、
を特徴とする撮像装置プログラム。
【請求項８】
撮像装置に対して所持者の人体を介して人体通信が可能なコンピュータである番号管理装置の番号管理装置プログラムであって、
前記番号管理装置は、
前記撮像装置の撮像により出力される画像データのファイル名に含まれ、撮像順を表すファイル番号を管理するものであり、
前記ファイル番号を記憶するファイル番号記憶部を備え、
前記番号管理装置に、
前記撮像装置から前記人体通信を介してファイル番号の取得要求を受信したことに応じて、前記ファイル番号記憶部に記憶された最新に使用された、又は次に使用すべき前記ファイル番号を抽出して前記撮像装置に前記人体通信を介して送信する抽出番号送信ステップと、
前記撮像装置から前記人体通信を介してファイル番号を受信したことに応じて、受信した前記ファイル番号を、前記ファイル番号記憶部に記憶させる記憶処理ステップと、
を実行させること、
を特徴とする番号管理装置プログラム。
【発明の詳細な説明】
【技術分野】
【０００１】
本発明は、撮像システム、撮像装置、撮像装置プログラム及び番号管理装置プログラムに関するものである。
【背景技術】
【０００２】
従来、複数のカメラを、無線通信手段を介してリンクさせ、撮影した画像ファイルをカメラの記憶手段に書き込む際に使用したファイル名に関するリンクデータを送信するものが開示されている（例えば、特許文献１）。
特許文献１では、リンクデータを受信した場合は、そのカメラで撮影した画像ファイルを記憶手段に書き込む際に、受信したリンクデータに基づく画像ファイル名を使用し、さらに使用したファイル名に関するリンクデータを送信している。
【先行技術文献】
【特許文献】
【０００３】
【特許文献１】特開２０１０−１１８９１４号公報
【発明の概要】
【発明が解決しようとする課題】
【０００４】
しかし、無線通信手段を介してリンクデータを送受信するものでは、通信が遮断されてしまうと適切なファイル名を決定することができない。また、有線通信手段を使用する方法も考えられるが、操作性に関して自由度が乏しい。
【０００５】
本発明の課題は、操作性に自由度を有する通信によって適切にファイル名を決定できる撮像システム、撮像装置、撮像装置プログラム及び番号管理装置プログラムを提供することである。
【課題を解決するための手段】
【０００６】
本発明は、以下のような解決手段により前記課題を解決する。
【０００７】
第１の発明は、撮像装置と、番号管理装置と、を備える撮像システムであって、前記撮像装置と前記番号管理装置とは、所持者の人体を介して人体通信が可能な通信部を各々備え、前記番号管理装置は、ファイル番号を記憶するファイル番号記憶部を有し、前記撮像装置は、被写体を撮像して画像データを出力する撮像部に対して撮像を指示する撮像指示部と、前記撮像指示部からの指示により、前記通信部を介して前記番号管理装置の前記ファイル番号記憶部に記憶された最新に使用された、又は次に使用すべき前記ファイル番号を取得する番号取得部と、前記番号取得部が取得した前記ファイル番号に基づいて、前記撮像指示部の指示により出力される画像データに関連付けるファイル名を、そのファイル名を構成するファイル番号が連続した番号になるように決定するファイル名決定部と、前記ファイル名決定部により決定された前記ファイル名に含まれるファイル番号又は次に使用すべきファイル番号を、前記番号管理装置に送信する番号送信部と、を有し、前記番号管理装置は、前記通信部が受信した前記ファイル番号を、前記ファイル番号記憶部に記憶させる記憶処理部を有すること、を特徴とする撮像システムである。
第２の発明は、所持者の人体を介して人体通信が可能な通信部と、被写体を撮像して画像データを出力する撮像部と、前記撮像部に対して撮像を指示する撮像指示部と、前記撮像指示部からの指示により、前記通信部を介して接続された番号管理装置から最新に使用された、又は次に使用すべきファイル番号を取得する番号取得部と、前記番号取得部が取得した前記ファイル番号に基づいて、前記撮像指示部の指示により出力される画像データに関連付けるファイル名を、そのファイル名を構成するファイル番号が連続した番号になるように決定するファイル名決定部と、前記ファイル名決定部により決定された前記ファイル名に含まれるファイル番号又は次に使用すべきファイル番号を、前記番号管理装置に送信する番号送信部と、を備える撮像装置である。
第３の発明は、番号管理装置に対して所持者の人体を介して人体通信が可能なコンピュータである撮像装置の撮像装置プログラムであって、前記撮像装置は、被写体を撮像して画像データを出力する撮像部に対して撮像を指示する撮像指示部を備え、前記撮像装置に、前記撮像指示部からの指示により、前記人体通信によって前記番号管理装置から最新に使用された、又は次に使用すべきファイル番号を取得する番号取得ステップと、前記番号取得ステップにより取得された前記ファイル番号に基づいて、前記撮像指示部の指示により出力される画像データに関連付けるファイル名を、そのファイル名を構成するファイル番号が連続した番号になるように決定するファイル名決定ステップと、前記ファイル名決定ステップにより決定された前記ファイル名に含まれるファイル番号又は次に使用すべきファイル番号を、前記人体通信によって前記番号管理装置に送信するファイル番号送信ステップと、を実行させること、を特徴とする撮像装置プログラムである。
第４の発明は、撮像装置に対して所持者の人体を介して人体通信が可能なコンピュータである番号管理装置の番号管理装置プログラムであって、前記番号管理装置は、前記撮像装置の撮像により出力される画像データのファイル名に含まれ、撮像順を表すファイル番号を管理するものであり、前記ファイル番号を記憶するファイル番号記憶部を備え、前記番号管理装置に、前記撮像装置から前記人体通信を介してファイル番号の取得要求を受信したことに応じて、前記ファイル番号記憶部に記憶された最新に使用された、又は次に使用すべき前記ファイル番号を抽出して前記撮像装置に前記人体通信を介して送信する抽出番号送信ステップと、前記撮像装置から前記人体通信を介してファイル番号を受信したことに応じて、受信した前記ファイル番号を、前記ファイル番号記憶部に記憶させる記憶処理ステップと、を実行させること、を特徴とする番号管理装置プログラムである。
なお、上記構成は、適宜改良してもよく、また、少なくとも一部を他の構成物に代替してもよい。
【発明の効果】
【０００８】
本発明によれば、操作性に自由度を有する通信によって適切にファイル名を決定できる撮像システム、撮像装置、撮像装置プログラム及び番号管理装置プログラムを提供することができる。
【図面の簡単な説明】
【０００９】
【図１】第１実施形態のカメラの機能ブロック図である。
【図２】第１実施形態の携帯情報端末の機能ブロック図である。
【図３】第１実施形態の撮像システムでの使用例を示す図である。
【図４】第１実施形態の撮像システムでの撮影時処理のフローチャートである。
【図５】第１実施形態のカメラと、携帯情報端末との間の処理を説明する図である。
【図６】第２実施形態の撮像システムでの撮影時処理のフローチャートである。
【図７】第２実施形態のカメラと、携帯情報端末との間の処理を説明する図である。
【図８】第３実施形態の撮像システムの全体構成図である。
【図９】第３実施形態の携帯情報端末での撮影時処理のフローチャートである。
【図１０】第３実施形態のカメラと、携帯情報端末との間の処理を説明する図である。
【図１１】第４実施形態の撮像システムでの使用例を示す図である。
【図１２】第４実施形態のカメラと、携帯情報端末との間の処理を説明する図である。
【図１３】第４実施形態のカメラと、携帯情報端末との間の処理を説明する図である。
【発明を実施するための形態】
【００１０】
（第１実施形態）
以下、図面等を参照して、本発明の実施形態について説明する。
図１は、第１実施形態のカメラ１の機能ブロック図である。
図２は、第１実施形態の携帯情報端末５の機能ブロック図である。
図３は、第１実施形態の撮像システム１００での使用例を示す図である。
【００１１】
図１及び図２に示すように、撮像システム１００は、カメラ１（撮像装置）と、携帯情報端末５（番号管理装置）とが、人体９を介して通信可能なシステムである。図３に示すように、撮影者Ｐ（所持者）は、片方の手にカメラ１を、もう片方の手に携帯情報端末５を持っている。このように、カメラ１と携帯情報端末５とが撮影者Ｐに接触又は近接している場合に、カメラ１と携帯情報端末５とは、撮影者Ｐの人体９の介在により形成される電界を通信媒体として用いる人体通信技術を用いた通信を行う。撮像システム１００は、携帯情報端末５に記憶された最新のファイル番号を用いて、カメラ１で撮影した画像データのファイル名を決定する。
なお、本実施形態では、携帯情報端末５は、撮影者Ｐが持っているものとして説明する。しかし、これに限らず、携帯情報端末５を、撮影者Ｐのポケットや、撮影者Ｐが所持する鞄等にしまっておいた状態でもよい。
【００１２】
図１に示すカメラ１は、レンズ部１０、レンズ駆動回路１１、撮像素子１２、画像処理回路１３、操作部２０、制御部３０、記憶部４０、メモリカード４１（画像ファイル記憶部）、表示部４２、人体通信部４３（通信部）等を有したデジタルカメラである。
レンズ部１０は、カメラ１の前部に設けられ、被写体の光Ａ１を入射し、撮影目的に応じて被写体像を拡大又は縮小して、撮像素子１２へと射出するズーム機能を有したレンズ群である。
レンズ駆動回路１１は、制御部３０の出力信号に基づいて、レンズ部１０を光軸方向に移動させる制御回路である。
撮像素子１２は、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）である。撮像素子１２は、レンズ部１０から出射した光Ａ１を露光し、電気的な画像信号に変換する素子である。撮像素子１２は、制御部３０の出力信号に基づいて被写体像の撮像を行う。
画像処理回路１３は、撮像素子１２で変換した画像信号を画像データに変換する回路である。画像処理回路１３は、変換した画像データを制御部３０に出力する。
なお、撮像素子１２及び画像処理回路１３は、撮像部である。
【００１３】
操作部２０は、カメラ１に設けられた操作用のスイッチ群である。操作部２０は、電源スイッチ２１、レリーズスイッチ２２、メニュースイッチ２３、ＯＫスイッチ２４等を備える。操作部２０の各スイッチは、操作情報を制御部３０に出力する。
電源スイッチ２１は、カメラ１に電源を投入又は遮断するスイッチである。
レリーズスイッチ２２は、被写体像の撮像に係る操作を実行するスイッチである。レリーズスイッチ２２は、半押しスイッチＳＷ１と、全押しスイッチＳＷ２（撮像指示部）とを有する。
【００１４】
半押しスイッチＳＷ１は、カメラ１の測光、測距等の撮影準備を開始させる（オートフォーカス（ＡＦ）を実行する）スイッチである。
全押しスイッチＳＷ２は、被写体像の撮像を実行するスイッチである。また、全押しスイッチＳＷ２は、携帯情報端末５から最新のファイル番号を受信して、撮影された画像データを画像ファイルとして記憶する際のファイル名を決定するためのスイッチである。
メニュースイッチ２３は、例えば、連写モードや、セルフタイマモードを設定するためのメニュー画面を表示部４２に表示させるスイッチである。連写モードとは、１回の全押しスイッチＳＷ２の操作により複数回連続して撮像するモードをいう。また、セルフタイマモードとは、所定時間（例えば、１０秒）を予め設定しておき、全押しスイッチＳＷ２の操作から所定時間経過後に、被写体像の撮像を実行するモードをいう。
ＯＫスイッチ２４は、メニュースイッチ２３により表示されたメニュー画面において、例えば、表示させたモードに決定するためのスイッチである。
【００１５】
制御部３０は、カメラ１の各部を統括制御する制御回路であり、例えば、ＣＰＵ等から構成される。制御部３０は、レンズ駆動回路１１、画像処理回路１３、操作部２０、記憶部４０、メモリカード４１、表示部４２、人体通信部４３等と接続される。また、制御部３０は、記憶部４０に記憶された各種プログラムを適宜読み出して実行することにより、上述したハードウェアと協働し、各種機能を実行する。
制御部３０は、番号取得部３１、ファイル名決定部３２、番号送信部３３等を備える。
番号取得部３１は、携帯情報端末５に記憶されている最新のファイル番号を取得する制御部である。
ファイル名決定部３２は、番号取得部３１が取得したファイル番号に基づいて、新たな画像データに関連付けるファイル名を決定する制御部である。
番号送信部３３は、ファイル名決定部３２が決定し、新たな画像データに関連付けられたファイル名に含むファイル番号を、携帯情報端末５に送信する制御部である。
【００１６】
記憶部４０は、カメラ１の動作に必要なプログラム、情報等を記憶するための半導体メモリ素子等の記憶装置である。
なお、本発明でいうコンピュータとは、制御部、記憶装置等を備えた情報処理装置をいい、カメラ１は、制御部３０、記憶部４０等を備えた情報処理装置であり、本発明のコンピュータの概念に含まれる。
メモリカード４１は、カメラ１で撮影した画像データを記憶する半導体メモリ等の記憶媒体であり、カメラ１と着脱自在に接続される。
【００１７】
表示部４２は、撮影した画像データを表示したり、メニュー画面を表示したりする液晶モニタ（ＬＣＤ）であり、カメラ１の背面に設けられている。
人体通信部４３は、携帯情報端末５との間で人体９を介した人体通信を行うためのインタフェース部である。人体通信部４３は、例えば、カメラ１の側面（図示せず）等、撮影者Ｐの手が接触したり、近接する部分であれば、カメラ１のどの部分に設けてもよい。また、撮影者の首筋に接触するネックストラップ（図示せず）等、カメラ１本体に電気的に接続されたアクセサリに設けてもよい。
なお、人体通信とは、ここでは、撮影者Ｐの人体９に生じた電界の変化を利用してデータの送受信を行う通信をいう。人体通信は、撮影者Ｐの人体９の誘電体としての性質を利用した電界方式により行われる。この人体通信では、服等の絶縁物を介しても通信でき、体の表面上数ミリメートルは通信可能範囲とされる。
【００１８】
図２に示す携帯情報端末５は、制御部５０、記憶部６０、タッチパネル部７０、人体通信部７１（通信部）、無線通信部７２等を有する。携帯情報端末５は、例えば、スマートフォン等の携帯電話機である。
制御部５０は、携帯情報端末５の各部を統括制御する制御回路であり、例えばＣＰＵ等から構成される。制御部５０は、記憶部６０、タッチパネル部７０、人体通信部７１、無線通信部７２等と接続される。また、制御部５０は、記憶部６０に記憶された各種プログラムを適宜読み出して実行することにより、上述したハードウェアと協働し、各種機能を実行する。
制御部５０は、取得要求受信部５１、番号抽出部５２、抽出番号送信部５３、記憶処理部５４等を備える。
【００１９】
取得要求受信部５１は、カメラ１からファイル番号の取得要求を受信する制御部である。
番号抽出部５２は、ファイル番号管理リスト６２（ファイル番号記憶部）（後述する）に記憶されたファイル番号のうち、最新のファイル番号としてそのリストの最後尾に記憶されたファイル番号を抽出する制御部である。
抽出番号送信部５３は、番号抽出部５２が抽出したファイル番号を、カメラ１に送信する制御部である。
記憶処理部５４は、カメラ１から受信したファイル番号を、ファイル番号管理リスト６２の最後尾に記憶させる制御部である。
【００２０】
記憶部６０は、携帯情報端末５の動作に必要なプログラム、情報等を記憶するための半導体メモリ素子等の記憶装置である。
なお、本発明でいうコンピュータとは、制御部、記憶装置等を備えた情報処理装置をいい、携帯情報端末５は、制御部５０、記憶部６０等を備えた情報処理装置であり、本発明のコンピュータの概念に含まれる。
記憶部６０は、ファイル番号管理リスト６２を記憶する。
ファイル番号管理リスト６２は、カメラ１から受信したファイル番号を、リスト形式で記憶するものである（図５参照）。ファイル番号とは、カメラ１で撮影された画像データに関連付けるファイル名の一部を構成するものをいう。ファイル番号管理リスト６２は、最新の画像データに関連付けたファイル名の一部を構成するファイル番号を有する。
【００２１】
タッチパネル部７０は、液晶パネル等で構成される表示部としての機能と、撮影者Ｐからの指等によるタッチ入力を検出する入力部としての機能とを有する。
人体通信部７１は、カメラ１との間で人体９を介した人体通信を行うためのインタフェース部である。例えば、携帯情報端末５の外部接続端子（図示せず）に人体通信部７１を接続することで、携帯情報端末５は、人体通信部７１を備えることができる。
無線通信部７２は、例えば、通信事業者の携帯端末通信網用の基地局に対する通信を行うためのインタフェース部である。
【００２２】
次に、撮影時の処理を説明する。
図４は、第１実施形態の撮像システム１００での撮影時処理のフローチャートである。
図４の処理の前提として、カメラ１と、携帯情報端末５とは、各々電源が投入されており、撮影者Ｐの人体９を介した通信が確立されている。また、カメラ１は、半押しスイッチＳＷ１が押されて、ＡＦが実行されている。
ステップＳ（以下、「Ｓ」という。）１０において、カメラ１の制御部３０は、全押しスイッチＳＷ２が押されたことを検出した（ＯＮされた）か否かを判断する。全押しスイッチＳＷ２が押されたことを検出した場合（Ｓ１０：ＹＥＳ）には、制御部３０は、処理をＳ１１に移す。他方、全押しスイッチＳＷ２が押されたことを検出していない場合（Ｓ１０：ＮＯ）には、制御部３０は、処理をＳ１０に戻す。
Ｓ１１において、制御部３０は、ファイル番号の取得要求を、携帯情報端末５に対して送信する。
【００２３】
Ｓ２０において、携帯情報端末５の制御部５０（取得要求受信部５１）は、ファイル番号の取得要求を受信する。
Ｓ２１において、制御部５０（番号抽出部５２）は、ファイル番号管理リスト６２を参照し、最新のファイル番号を抽出する。なお、ファイル番号管理リスト６２が空の状態等、最新のファイル番号が存在しない場合（初めてカメラ１が携帯情報端末５と通信した場合）には、制御部５０は、ファイル番号として、例えば、「０」を取得する。
Ｓ２２において、制御部５０（抽出番号送信部５３）は、抽出（取得）した最新のファイル番号を、カメラ１に対して送信する。
【００２４】
Ｓ１２において、カメラ１の制御部３０（番号取得部３１）は、携帯情報端末５から最新のファイル番号を受信する。
Ｓ１３において、制御部３０（ファイル名決定部３２）は、受信したファイル番号に「１」を加算したものを、新たなファイル番号にする。
Ｓ１４において、制御部３０（番号送信部３３）は、新たなファイル番号を、携帯情報端末５に対して送信する。
Ｓ２３において、携帯情報端末５の制御部５０は、カメラ１から新たなファイル番号を受信する。
Ｓ２４において、制御部５０（記憶処理部５４）は、受信した新たなファイル番号を、ファイル番号管理リスト６２に記憶させるリスト更新処理を行う。リスト更新処理では、受信した新たなファイル番号を、ファイル番号管理リスト６２の最後尾に記憶させる。その後、制御部５０は、本処理を終了する。
【００２５】
他方、Ｓ１５において、カメラ１の制御部３０（ファイル名決定部３２）は、ファイル名を作成する。ファイル名は、例えば、カメラ１に固有の文字２桁（例えば、「ＨＣ」）に、ファイル番号４桁（４桁未満である場合には、上に「０」を付けて４桁にする。）を結合したものである。
なお、上述したＳ１１からＳ１５まで、及びＳ２０からＳ２４までの処理（Ｓ１００）を、ファイル名処理という。
Ｓ１６において、制御部３０は、被写体を撮像する撮像処理を行い、画像データを取得する。
Ｓ１７において、制御部３０は、画像ファイルをメモリカード４１に記憶させる記憶処理を行う。記憶処理として、制御部３０は、取得した画像データを、Ｓ１５で作成したファイル名の画像ファイルとして記憶させる。その後、制御部３０は、本処理を終了する。
なお、カメラ１の制御部３０は、撮像処理を、ファイル名処理の後に行うものとして説明した。しかし、制御部３０は、撮像処理を、Ｓ１０でＹＥＳが選択された場合に、ファイル名処理と並行して行ってもよい。その場合、制御部３０は、撮像処理と、ファイル名処理とが終了したことを契機に、記憶処理を行う。
また、Ｓ２２からＳ２３の処理は、ごく短時間に行われる。従って、カメラ１にファイル番号を送信（Ｓ２２）した後、カメラ１から新たなファイル番号を受信（Ｓ２３）する前に、他のカメラからファイル番号の取得要求を受信（Ｓ２０）する可能性は極めて低い。例えば、特許文献１では、カメラの撮影タイミングとは無関係に、ファイル番号を受信する。そして、当該カメラが撮影するタイミングで新たなファイル番号を生成し、他のカメラに送信する。これに対し、本実施形態のカメラ１は、全押しスイッチＳＷ２を押す操作がなされた後、すなわち、カメラ１が撮影するタイミングで携帯情報端末５に対してファイル番号の取得要求を送信する（Ｓ１１）。従って、カメラ１はファイル番号を受信した後、直ちに新たなファイル番号を生成（Ｓ１３）することができる。その結果、Ｓ２２からＳ２３の処理を、ごく短時間で実現することができる。また、人体通信が用いられるために、Ｓ２２からＳ２３の処理を、ごく短時間で実現することができる。
【００２６】
次に、撮像システム１００の撮影時処理を具体的に説明する。
図５は、第１実施形態のカメラ１と、携帯情報端末５との間の処理を説明する図である。
図５（ａ）は、全押しスイッチＳＷ２を押す操作がされて、カメラ１から携帯情報端末５に対してファイル番号の取得要求を送信した場合に、携帯情報端末５が行う処理を説明したものである。携帯情報端末５の制御部５０は、ファイル番号管理リスト６２の中で、リストの最後尾である「１０」を抽出して（＃１）、カメラ１にファイル番号「１０」を送信する（図４のＳ２２）。
【００２７】
図５（ｂ）は、カメラ１が携帯情報端末５に対して新たなファイル番号を送信する処理を説明したものである。カメラ１の制御部３０は、携帯情報端末５から取得した「１０」に「１」を加算した「１１」を、携帯情報端末５に送信する（図４のＳ１４）。そして、携帯情報端末５の制御部５０は、ファイル番号管理リスト６２の最後尾に「１１」を追加（＃２）する（図４のＳ２４）。
なお、この図５（ａ）から図５（ｂ）までのカメラ１と携帯情報端末５との間のデータの送受信処理は、ごく短時間に行われる。
図５（ｃ）は、カメラ１が画像データを保存する処理を説明したものである。カメラ１の制御部３０は、全押しスイッチＳＷ２を押す操作がされたことにより取得した画像データを、新たなファイル番号「１１」を含むファイル名の画像ファイルとして、「ＨＣ００１１．ｊｐｇ」をメモリカード４１に記憶している（図４のＳ１７）。
【００２８】
以上、第１実施形態によると、以下のような効果を有する。
（１）撮像システム１００は、カメラ１からの撮像指示に応じて、携帯情報端末５に記憶されたファイル番号を取得し、取得したファイル番号に基づいて、撮像指示により出力される画像データを特定可能なファイル名を決定できる。また、カメラ１と、携帯情報端末５とは、カメラ１からの撮像指示により、撮像者の人体９を介して人体通信を用いて通信できる。よって、撮像指示により出力されるファイル名を構成するファイル番号を、撮像の直前又は撮像とほぼ同時に携帯情報端末５から取得できるので、操作性に自由度を有する人体通信によって、適切にファイル名を決定できる。
カメラ１は、撮影指示の後に、携帯情報端末５からファイル番号を取得するので、即座に携帯情報端末５に新たなファイル番号の送信を行うことができる。よって、携帯情報端末５において、カメラ１にファイル番号を送信した後、カメラ１から新たなファイル番号を受信する前に、他のカメラからファイル番号の取得要求を受信する可能性を極めて低くすることができる。
【００２９】
（２）撮像システム１００は、ファイル名を、最新のファイル番号に基づいて決定するので、他の画像データのファイル名と重複しないものにできる。しかも、画像データのファイル名を、番号が連続したものにできる。よって、ファイル名によって、撮像の時系列に並べ替えが可能なものにできる。
また、決定されたファイル名に含まれるファイル番号を、携帯情報端末５に送信することで、携帯情報端末５では、最新のファイル番号を記憶できる。よって、ファイル番号の管理を、携帯情報端末５が行うことができる。
（３）撮像システム１００は、全押しスイッチＳＷ２による指示により画像処理回路１３が出力した画像データと、同じ全押しスイッチＳＷ２による指示によりファイル名決定部３２により決定されたファイル名とを関連づけることができる。
【００３０】
（第２実施形態）
第２実施形態では、カメラが連写モードに設定されており、１回の全押しスイッチの操作で複数回連続して撮影するものを説明する。なお、以降の説明において、上述した第１実施形態と同様の機能を果たす部分には、同一の符号又は末尾に同一の符号を付して、重複する説明を適宜省略する。
図６は、第２実施形態の撮像システム２００での撮影時処理のフローチャートである。
図７は、第２実施形態のカメラ２０１と、携帯情報端末５との間の処理を説明する図である。
【００３１】
図６での処理の前提は、図４の処理の前提と同様である。
また、カメラ２０１は、メニュースイッチ及びＯＫスイッチが操作され、連写モードに設定されている。なお、設定された連写モードは、１回の全押しスイッチＳＷ２の操作でシャッターが連続して５回切られるものであるとする。そして、この連写モードの設定及び連写回数は、カメラ２０１の記憶部２４０（図７（ｂ）参照）に記憶されている。
図６のＳ２１０からＳ２１２まで、及びＳ２２０からＳ２２２までは、図４のＳ１０からＳ１２まで、及びＳ２０からＳ２２までと同様である。
図７（ａ）において、携帯情報端末５の制御部５０は、ファイル番号管理リスト６２の中で最後尾に記憶された「１１」を抽出して（＃２０１）、カメラ２０１にファイル番号「１１」を送信する（図６のＳ２２２）。
【００３２】
図６に戻り、Ｓ２１３において、カメラ２０１の制御部は、受信したファイル番号に、カメラ２０１の記憶部２４０（回数記憶部）に記憶された連写回数を加算して、新たなファイル番号にする。
Ｓ２１４、Ｓ２２３及びＳ２２４は、図４のＳ１４、Ｓ２３及びＳ２４と同様である。
図７（ｂ）において、カメラ２０１の制御部は、携帯情報端末５から取得した「１１」に、連写回数の「５」を加算した「１６」を、携帯情報端末５に送信する（図６のＳ２１４）。そして、携帯情報端末５の制御部５０は、ファイル番号管理リスト６２の最後尾に「１６」を追加（＃２０２）する（図６のＳ２２４）。
【００３３】
図６に戻り、Ｓ２１５において、カメラ２０１の制御部（ファイル名決定部）は、ファイル名を作成する。ファイル名は、カメラ２０１に固有の文字２桁に結合するファイル番号４桁（４桁未満の場合は、上に「０」を付けて４桁にする。）を、受信したファイル番号から連番に、連写回数分作成する。
なお、上述したＳ２１１からＳ２１５まで、及びＳ２２０からＳ２２４までの処理（Ｓ２００）を、ファイル名処理という。
【００３４】
Ｓ２１６において、カメラ２０１の制御部は、被写体を撮像する撮像処理を連写回数分行い、連写回数分の画像データを取得する。
Ｓ２１７において、カメラ２０１の制御部は、画像ファイルをメモリカード４１に記憶させる記憶処理を行う。記憶処理として、カメラ２０１の制御部は、撮像処理により順番に取得した画像データを、Ｓ２１５で作成した順番のファイル名の画像ファイルとして記憶させる。
図７（ｃ）において、カメラ２０１の制御部は、全押しスイッチＳＷ２を押す操作がされて取得した５つの画像データを、新たなファイル番号「１２」〜「１６」を含むファイル名の画像ファイルとして、メモリカード４１に記憶する（図６のＳ２１７）。
【００３５】
以上、第２実施形態によると、以下のような効果を有する。
（１）撮像システム２００は、連写の場合には、記憶部２４０に記憶された回数分の画像データのファイル名を決定できる。また、カメラ２０１から携帯情報端末５に対して、決定したファイル名を構成するファイル番号のうち最大のファイル番号を送信するので、携帯情報端末５は、最大のファイル番号を記憶できる。
（２）撮像システム２００は、連写の場合であっても、撮像部が出力した画像データの順番に、ファイル名決定部により決定されたファイル名をファイル番号の昇順で付与できる。
【００３６】
（第３実施形態）
第３実施形態では、複数台のカメラと１台の携帯情報端末とからなる撮像システムについて説明する。
図８は、第３実施形態の撮像システム３００の全体構成図である。
図８（ａ）に示すように、撮像システム３００は、２台のカメラ１Ａ及び１Ｂと、携帯情報端末３０５とが、人体９を介して人体通信が可能になっている。具体的には、図８（ｂ）に示すように、撮影者Ｐは、カメラ１Ａを右手に持ち、カメラ１Ｂは三脚に立てた状態で、全押しスイッチＳＷ２を同時に操作できる。また、携帯情報端末３０５は、撮影者Ｐのポケットに入っている。
携帯情報端末３０５は、記憶部に処理中フラグを有する。処理中フラグとは、ファイル番号管理リスト６２にアクセスする処理を、ファイル名処理を行う間は排他にするために用いる。
【００３７】
ここでは、カメラ１Ａ及び１Ｂの全押しスイッチＳＷ２が、ほぼ同時に操作された場合について説明する。
図９は、第３実施形態の携帯情報端末３０５での撮影時処理のフローチャートである。
なお、図９の前提及びカメラ１Ａ及び１Ｂの処理は、図４と同様である。
Ｓ３２０において、携帯情報端末３０５の制御部は、カメラ１（１Ａ，１Ｂ）からファイル番号の取得要求を受信する。
Ｓ３２１において、携帯情報端末３０５の制御部は、処理中フラグがＯＦＦか否かを判断する。処理中フラグがＯＦＦである場合（Ｓ３２１：ＹＥＳ）には、携帯情報端末３０５の制御部は、処理をＳ３２５に移す。他方、処理中フラグがＯＮである場合（Ｓ３２１：ＮＯ）には、携帯情報端末３０５の制御部は、処理をＳ３２２に移す。
【００３８】
Ｓ３２２において、携帯情報端末３０５の制御部は、受信したファイル番号の取得要求に関する処理を待ち状態にする。
Ｓ３２３において、携帯情報端末３０５の制御部は、処理中フラグがＯＦＦか否かを判断する。処理中フラグがＯＦＦの場合（Ｓ３２３：ＹＥＳ）には、携帯情報端末３０５の制御部は、処理をＳ３２５に移す。他方、処理中フラグがＯＮの場合（Ｓ３２３：ＮＯ）には、携帯情報端末３０５の制御部は、処理をＳ３２３に戻す。
Ｓ３２５において、携帯情報端末３０５の制御部は、処理中フラグをＯＮにする。
Ｓ３２６からＳ３２９までの処理は、図４のＳ２１からＳ２４までの処理と同様である。
Ｓ３３０において、携帯情報端末３０５の制御部は、処理中フラグをＯＦＦにする。
【００３９】
次に、携帯情報端末３０５がカメラ１Ａからファイル番号の取得要求を受信し、直後にカメラ１Ｂからファイル番号の取得要求を受信した場合について説明する。
図１０は、第３実施形態のカメラ１Ａ，１Ｂと、携帯情報端末３０５との間の処理を説明する図である。
携帯情報端末３０５の制御部は、先にカメラ１Ａからファイル番号の取得要求を受信した時に、まず、カメラ１Ａに対する処理を行う。この時、携帯情報端末３０５の制御部は、処理中ではなく、処理中フラグがＯＦＦになっているので（Ｓ３２１でＹＥＳが選択）、Ｓ３２５からの処理を行う。具体的には、図１０（ａ）において、携帯情報端末３０５の制御部は、ファイル番号管理リスト６２の中で最後尾に記憶された「１６」を抽出して（＃３０１）、カメラ１Ａにファイル番号「１６」を送信する（図９のＳ３２７）。そして、図１０（ｂ）において、カメラ１Ａの制御部は、携帯情報端末３０５から取得した「１６」に「１」を加算した「１７」を、携帯情報端末３０５に送信する（＃３０２）。携帯情報端末３０５の制御部は、ファイル番号管理リスト６２の最後尾に「１７」を追加（＃３０３）する（図９のＳ３２９）。
【００４０】
他方、携帯情報端末３０５がカメラ１Ａとの処理中に、カメラ１Ｂからファイル番号の取得要求を受信した場合について説明する。すなわち、カメラ１Ａの制御部による「１７」を携帯情報端末３０５に送信する（＃３０２）処理が行われ、携帯情報端末３０５の制御部が「１７」を受信する前に、携帯情報端末３０５の制御部がカメラ１Ｂからファイル番号の取得要求を受信した場合について説明する。
携帯情報端末３０５の制御部は、カメラ１Ａに対する処理を行っており、処理中フラグがＯＮになっているので（Ｓ３２１でＮＯが選択）、Ｓ３２２において、このカメラ１Ｂからファイル番号の取得要求を待ち状態にする。
そして、カメラ１Ａに対する処理が終了する、つまり、図９のＳ３２９に示すリスト更新処理を行うと、携帯情報端末３０５の制御部は、処理中フラグをＯＦＦにする（図９のＳ３３０）。すると、カメラ１Ｂから受信したファイル番号の取得要求に対して、携帯情報端末３０５の制御部は、図９のＳ３２３でＹＥＳを選択する。よって、携帯情報端末３０５の制御部は、カメラ１Ｂから受信したファイル番号の取得要求に対する処理を行う。具体的には、図１０（ｂ）において、携帯情報端末３０５の制御部は、ファイル番号管理リスト６２の中で最後尾に記憶された「１７」を抽出して、カメラ１Ｂにファイル番号「１７」を送信（Ｓ３０４）する（図９のＳ３２７）。そして、図１０（ｃ）において、カメラ１Ｂの制御部は、携帯情報端末３０５から取得した「１７」に「１」を加算した「１８」を、携帯情報端末３０５に送信する。そこで、携帯情報端末３０５の制御部は、ファイル番号管理リスト６２の最後尾に「１８」を追加（＃３０５）する（図９のＳ３２９）。
なお、カメラ１Ａ及び１Ｂからファイル番号の取得要求を同時に受信した場合には、携帯情報端末３０５の制御部は、いずれか１つを選択して優先的に処理を行うようにすればよい。
【００４１】
以上、第３実施形態によると、以下のような効果を有する。
撮像システム３００は、複数のカメラ１Ａ，１Ｂからファイル番号取得要求を受信した場合には、より早く受信した、又は、携帯情報端末３０５の制御部により選択されたカメラ１Ａに対する処理を優先して行うことができる。具体的には、後に受信したファイル番号取得要求の処理を、先に受信したファイル番号取得処理に係る一連の処理が完了（リスト更新処理が完了）するまで携帯情報端末３０５の制御部はブロック（待ち状態）する。よって、複数のカメラ１Ａ，１Ｂで、画像データのファイル名が重複することがない。
【００４２】
（第４実施形態）
第４実施形態では、複数台のカメラと複数台の携帯情報端末とからなる撮像システムについて説明する。
図１１は、第４実施形態の撮像システム４００での使用例を示す図である。
図１２及び図１３は、第４実施形態のカメラ４０１と、携帯情報端末４０５との間の処理を説明する図である。
【００４３】
図１１（ａ）において、撮影者Ｐ１は、カメラ４０１Ａと携帯情報端末４０５Ｘとを所持しており、撮影者Ｐ２は、カメラ４０１Ｂと携帯情報端末４０５Ｙとを所持している。
カメラ４０１は、ファイル番号の取得要求を行う。カメラ４０１は、図１２（ａ）（ｂ）に示すように、ファイル番号管理リスト６２の最後尾に記憶されたファイル番号と、携帯情報端末４０５のＩＤ記憶部４６３に記憶された個人ＩＤとを、携帯情報端末４０５から受信する。個人ＩＤは、携帯情報端末４０５を特定する情報である。そして、カメラ４０１は、受信したファイル番号に「１」を加算した新たなファイル番号を、携帯情報端末４０５に送信する。
また、カメラ４０１は、作成するファイル名を、例えば、カメラ４０１に固有の文字２桁（例えば、「ＨＣ」）に、ファイル番号４桁（４桁未満である場合には、上に「０」を付けて４桁にする。）と、アンダーバーと、個人ＩＤ（例えば、「Ｘ」，「Ｙ」）とを結合したものにする。
【００４４】
ここで、図１１（ｂ）に示すように、撮影者Ｐ１と、撮影者Ｐ２とが、各々のカメラ４０１Ａと、カメラ４０１Ｂとを交換した場合について説明する。
図１３は、図１２での処理の後にカメラを交換した後の処理の説明である。
図１３（ａ）において、携帯情報端末４０５Ｘの制御部は、図１２（ａ）と同様に、ファイル番号管理リスト６２Ｘの最後尾のファイル番号（この例では、「１１」）と、携帯情報端末４０５ＸのＩＤ記憶部４６３Ｘに記憶された個人ＩＤ（この例では、「Ｘ」）とをカメラ４０１Ｂに送信する。撮影者Ｐ１が所持するカメラ４０１Ｂは、受信したファイル番号に「１」を加算した新たなファイル番号（この例では、「１２」）を、携帯情報端末４０５Ｘに送信する。
また、カメラ４０１Ｂの制御部は、作成するファイル名を、この例では、受信したファイル番号と、個人ＩＤとを用いて、「ＨＣ００１２＿Ｘ．ｊｐｇ」にする。
【００４５】
他方、図１３（ｂ）において、携帯情報端末４０５Ｙの制御部は、図１２（ｂ）と同様に、ファイル番号管理リスト６２Ｙの最後尾のファイル番号（この例では、「２１」）と、携帯情報端末４０５ＹのＩＤ記憶部４６３Ｙに記憶された個人ＩＤ（この例では、「Ｙ」）とをカメラ４０１Ａに送信する。撮影者Ｐ２が所持するカメラ４０１Ａは、受信したファイル番号に「１」を加算した新たなファイル番号（この例では、「２２」）を、携帯情報端末４０５Ｙに送信する。
また、カメラ４０１Ａの制御部は、作成するファイル名を、この例では、受信したファイル番号と、個人ＩＤとを用いて、「ＨＣ００２２＿Ｙ．ｊｐｇ」にする。
【００４６】
以上、第４実施形態によると、以下のような効果を有する。
撮像システム４００は、携帯情報端末４０５が固有の個人ＩＤを有し、個人ＩＤをカメラ４０１に送信してファイル名にＩＤを付与することで、携帯情報端末４０５を所持する撮影者Ｐごとに、ファイル名が区別できる。複数の携帯情報端末４０５において、ファイル番号が同じであっても、携帯情報端末４０５に固有の個人ＩＤを付与することで、ファイル名が重複することがない。また、画像ファイルは、撮影者Ｐごとに時系列に並べることができる。
【００４７】
（変形形態）
以上、説明した実施形態に限定されることなく、以下に示すような種々の変形や変更が可能であり、それらも本発明の範囲内である。
（１）本実施形態では、携帯情報端末には、最新に使用したファイル番号を記憶するものとして説明した。しかし、これに限らず、次に使用すべきファイル番号を記憶するものでもよい。その場合には、カメラでは、受信したファイル番号をそのままファイル名を構成する一部に用いればよい。なお、カメラでの処理として、撮影回数分加算したファイル番号を携帯情報端末に送信する点については、同じである。
（２）本実施形態では、携帯情報端末がファイル番号管理リストを有するものとして、カメラから受信したファイル番号を、そのリストの最後尾に追加するものを説明した。しかし、これに限らず、カメラから受信したファイル番号を、そのリストの先頭に追加するものであってもよい。また、カメラから受信したファイル番号を上書きすることで、そのファイル番号のみを有するものでもよい。
【００４８】
（３）本実施形態では、カメラは、全押しスイッチを押された場合に、即時に撮像処理を行うものを説明した。しかし、これに限らず、セルフタイマを用いた撮像処理でもよい。その場合には、ファイル名処理を、撮影者が全押しスイッチを押してから撮影者の手がカメラから離れるまでのごく短時間の間にすればよい。このように、全押しスイッチを押すことでファイル名を決定するので、セルフタイマのような撮影時に撮影者から離れた状態になる場合でも、カメラは、ファイル番号を取得できる。
（４）本実施形態では、連写処理について１回の全押しスイッチの操作で複数回数行うものとして説明した。しかし、これに限らず、１回の全押しスイッチの操作で露出やホワイトバランス、ストロボの光量を少しずつ変えて、複数の画像データを出力するブラケッティングであってもよい。また、全押しスイッチを押している間に、所定の時間間隔（例えば、１秒）で撮像処理を行う連写でもよい。その場合には、撮像処理を行うタイミングで、ファイル名処理を繰り返し行うようにすればいい。
【００４９】
（５）本実施形態では、人体通信を、人体の表面に発生する電界の変化を利用してデータの送受信を行う電界方式として説明した。しかし、これに限らず、他の人体通信の方法であってもよい。例えば、人体に微弱電流を流すことで、その電流に変調をかけてデータの送受信を行う電流方式でもよい。その場合には、カメラと、携帯情報端末との各々の装置に、撮影者が触れるための電極部を設け、撮影者は各々の装置の電極部に接触した状態で、全押しスイッチを操作する必要がある。そのため、カメラでは、レリーズスイッチに電極部を設けることで、レリーズスイッチが押される際に、確実に人体通信ができる。
【００５０】
（６）本実施形態では、カメラは、画像データとして静止画を撮影するものとして説明した。しかし、これに限らず、画像データは、動画であってもよい。また、画像データを出力するものであれば、カメラに限らず、カメラ機能を備えた携帯電話機等であってもよい。
（７）本実施形態では、携帯情報端末は、ファイル番号を管理するものとして説明した。しかし、これに限らず、番号を記憶可能な媒体であって、人体通信が可能なものであれば、どのようなものでもよい。
なお、実施形態及び変形形態は、適宜組み合わせて用いることもできるが、詳細な説明は省略する。また、本発明は以上説明した実施形態によって限定されることはない。
【符号の説明】
【００５１】
１，１Ａ，１Ｂ，２０１，４０１Ａ，４０１Ｂ：カメラ、５，３０５，４０５，４０５Ｘ，４０５Ｙ：携帯情報端末、９：人体、３０：制御部、３１：番号取得部、３２：ファイル名決定部、３３：番号送信部、４０，２４０：記憶部、４１，４１Ａ，４１Ｂ：メモリカード、４３，７１：人体通信部、５０：制御部、５４：記憶処理部、６２，６２Ｘ，６２Ｙ：ファイル番号管理リスト、１００，２００，３００，４００：撮像システム、Ｐ，Ｐ１，Ｐ２：撮影者、ＳＷ２：全押しスイッチ
【図１】
2014236464.tif 000003
【図２】
2014236464.tif 000004
【図３】
2014236464.tif 000005
【図４】
2014236464.tif 000006
【図５】
2014236464.tif 000007
【図６】
2014236464.tif 000008
【図７】
2014236464.tif 000009
【図８】
2014236464.tif 000010
【図９】
2014236464.tif 000011
【図１０】
2014236464.tif 000012
【図１１】
2014236464.tif 000013
【図１２】
2014236464.tif 000014
【図１３】
2014236464.tif 000015